(57)【特許請求の範囲】
【請求項１】
Ｘ線装置を搭載した移動台車を有した移動形Ｘ線装置において、前記移動台車が走行する床面を自在に移動可能な車輪を有したＸ線フィルムカセッテを収納する収納箱とを備え、前記収納箱は、前記収納箱と前記移動台車とを結合するためのピンと、前記収納箱と前記移動台車との結合を操作するレバーとを備え、前記ピンはワイヤを介して前記レバーにつながれ、前記移動台車は、前記ピンが入る溝と前記ピンの挿入状態を検出する検出器とを有し、前記検出器からの検出信号により前記移動台車の走行スピードが制御されることを特徴とする移動形Ｘ線装置。
【請求項２】
前記収納箱は、前記移動台車の移動操作部側に設けられるとともに、前記移動操作部に操作者が前記移動台車の移動方向に向いて立ったときに、前記操作者の側方に位置するように配設されることを特徴とする請求項１に記載の移動形Ｘ線装置。
【請求項３】
前記収納箱は、Ｘ線フィルムカセッテを取り出すにあたり、Ｘ線フィルムカセッテが一枚毎に取り出される機構を具備したことを特徴とする請求項１に記載の移動形Ｘ線装置。
【発明の詳細な説明】
【０００１】
【発明の属する技術分野】
本発明は、Ｘ線フィルムカセッテなどを収納する収納部を備えた移動形Ｘ線装置に関するものである。
【０００２】
【従来の技術】
移動形Ｘ線装置は、Ｘ線装置を移動台車に搭載して、Ｘ線装置を病室のベッドサイドへ移動して被検者のＸ線撮影を行うものであり、Ｘ線フィルムカセッテなどを収納する収納箱をＸ線装置のＸ線制御ユニットへ一体的に取付けられていることが多い。
なお、収納箱は開閉式となっていたり、収納部をキャビネット状に構成して収納箱を外へ取り外せるようにしたものがある。
【０００３】
【発明が解決しようとする課題】
前記従来の移動形Ｘ線装置では、前記収納箱がＸ線制御ユニット部と一体的に取付けられていたため、移動形Ｘ線装置が大型化し、狭い病室内やベッドサイドでの操作性に難点を抱えているとともに、装置の移動時に操作者の前方視認性を悪くしているという問題があった。
また、前記収納箱は開閉式のものが殆どであったため、Ｘ線フィルムカセッテの取り出しおよび収納に不便であるという問題があった。
【０００４】
本発明は、上記問題点の少なくとも一つを解決するものであり、その目的は、狭い病室内やベッドサイドでの操作性を向上した移動形Ｘ線装置を提供することにある。
【０００５】
【課題を解決するための手段】
上記目的は、Ｘ線装置を搭載した移動台車を有した移動形Ｘ線装置において、前記移動台車が走行する床面を自在に移動可能な車輪を有したＸ線フィルムカセッテを収納する収納箱とを備え、前記収納箱は、前記収納箱と前記移動台車とを結合するためのピンと、前記収納箱と前記移動台車との結合を操作するレバーとを備え、前記ピンはワイヤを介して前記レバーにつながれ、前記移動台車は、前記ピンが入る溝と前記ピンの挿入状態を検出する検出器とを有していることを特徴とする移動形Ｘ線装置によって達成される。
【０００６】
そして好ましくは、収納箱は移動台車の移動操作部側に設けるとともに、移動操作部に操作者が前記移動台車の移動方向に向いて立ったときに、操作者の側方に位置するように配設する。
【０００７】
また、前記検出器からの検出信号により前記移動台車の走行スピードが制御されることを特徴とする移動形Ｘ線装置によって達成される。また、前記収納箱からＸ線フィルムカセッテを取り出すにあたり、Ｘ線フィルムカセッテが一枚毎に取り出される機構を備えたことを特徴とする移動形Ｘ線装置によって達成される。
【０００８】
【発明の実施の形態】
本発明の移動形Ｘ線装置の実施の一形態を図面を参照して説明する。
図１は本発明の移動形Ｘ線装置の構成例を示す側面図，図２は本発明の移動形Ｘ線装置の構成例を示す平面図である。
【０００９】
本発明の移動形Ｘ線装置は、支柱２とアーム３を介してＸ線発生原４を搭載した移動台車１と、２個の固定車輪９及び自在車輪８とを有している。固定車輪９は移動台車１に対し取り付け方向が変化せず、一方、自在車輪８は車輪の方向が可変となっている。移動台車１の内部は、図示を省略したがＸ線制御ユニットが収納されている。Ｘ線発生源４はアーム３，支柱２により旋回，上下動及び揺動によって撮影の位置決めが可能となっている。移動台車１の上方には台車の移動用のハンドル２０が設けられている。そして、移動台車１の支柱２が立設された側の反対側にはフィルムカセッテ７を収納し、台車とともに移動する収納箱５が後述の連結機構によって連結されている。収納箱５は４個の自在車輪１０を有して収納箱５単独にて移動可能としている。また、収納箱５は、図２のようにコの字形に形成されており、カセッテの収納位置は、操作者が装置を移動させるときに操作者の側方に位置する場所に設けてあるとともに、収納箱５へのカセッテの装填口２１及び取り出し口２２を収納部の各々に設けてある。これらにより構成されたＸ線装置は移動台車１を手動又は電動により、被検者のいる病室内へ移動させられ、そこでＸ線撮影を行うようになっている。
【００１０】
次に、移動台車１と収納箱５を連結・解除する機構について、図３を用いて説明する。
【００１１】
図３において、収納箱５には、収納箱５と移動台車１とを結合するためのピン１３が設けられており、移動台車１にはピンが入る溝が設けられると共に、ピン１３が入ったかどうかを検出する検出器６が設けられている。また、収納箱５の取手付近には、レバー１１が取り付けられており、このレバー１１とピン１３とはワイヤ１２によりつながっている。したがって、レバー１１を動かすことにより、移動台車１と収納箱５を結合させているピン１３を外すことができる。又、逆に、移動台車１と収納箱５を連結させることもできる。
【００１２】
以上により、従来の移動台車と一体となっている収納箱を連結・解除可能とすることにより、移動形Ｘ線装置本体をコンパクト化することができベッドサイド等の狭い場所での操作性が向上する。
【００１３】
操作性の向上する具体的な例として、移動台車から収納箱ユニットを切り離して、収納箱ユニットを暗室に移動して行って、複数のカセッテへフィルムを装填する。それらのカセッテを収納箱ユニットに装入して、収納箱ユニットを移動台車の待機位置に移動して連結する。
その後、病院の廊下を移動台車と収納箱ユニットを連結した状態で病室へ移動する。
【００１４】
病室内のベッド側方に装置を入れて撮影しようとするとき、ベッド側方が狭くて、移動台車と収納箱ユニットを連結したままでは、移動台車の位置決めができないときは、移動台車と収納箱ユニットの連結を解除して、収納箱ユニットを切り離して本体のみをベッドの間へ移動する。このとき、収納箱ユニットは廊下や病室の広いスペースに停止させておく。
【００１５】
これによって、移動台車と収納箱ユニットとをそれぞれ単独で移動できるため、Ｘ線装置を狭い病室等で少ない移動スペースで直線移動や転向移動ができるので、ベッドサイド等の狭い場所での操作性が向上する。
【００１６】
また、従来の移動台車へ収納箱が一体化して取付けられた移動形Ｘ線装置は装置のサイズが大型になるので、操作者の前方視認性が悪かったが、本発明の移動形Ｘ線装置は、操作者の側部に収納箱ユニットが取付けられる構造となっているので、操作者は移動台車の前方により近づくことができるから、移動台車の移動方向に対する視認性が向上するため、操作者はより安全に移動台車を移動させることができる。
【００１７】
それと共に収納箱の容量アップを操作性を犠牲にすることなく行うことができ、カセッテの収納枚数を増やすことができる。これにより一回の回診での撮影枚数を増やすことができ、撮影の効率化が図れる。
【００１８】
次に、収納箱５の連結・解除を検出し、移動台車１の走行スピードに制限を与える機構について説明する。検出器６はピン１３が入っているかどうかを検出可能に取り付けられている。検出器６からの信号により走行スピードに制限を与える。例えば、収納箱５と移動台車１が結合されている状態においては、通常、病院内の廊下など速いスピードで移動する場合が殆どであるため、最高スピードまで出せる信号とする。一方、収納箱５と移動台車１が分離している状態においては、病室内での移動や、撮影準備状態が多いため、走行スピードを半分しか出ないようにすることができる。これにより、病室内での移動を容易とすると共に、安全に走行させることができる。
【００１９】
次に、フィルムカセッテ７を取り出す機構について、図４を用いて説明する。
図４はフィルムカセッテを取り出す機構の構成例を示す図である。
【００２０】
また、図４において、スライダ１４は、上下可動に収納箱５に取付けられており、つめ１５揺動可能に取付けられていると共に引張りバネ１７により、上方向へ引き上げられるようになってる。又カセッテ受け１６も収納箱５に上下可動に取付けられており、つめ１５の引っかかりにより、上へ持ち上げられる。そして、カセッテ押し１８は、収納箱５に揺動可能に取付けられており、引張りバネ１９により、引張りられている。よって、Ｘ線フィルムカセッテ７を収納箱５に入れると、カセッテ押し１８は、Ｘ線フィルムカセッテ７を引張りバネ１９の作用により左側へ移動させることになる。移動したＸ線フィルムカセッテ７はやがてカセッテ受け１６にはまり込む。次に、スライダ１４を付属のレバー１１を利用して下まで下げると、つめ１５が、カセッテ受けに引っ掛かる。そこで、レバー１１を下に押し下げていた力を外すと、引張りバネ１７の作用で、Ｘ線フィルムカセッテ７が外に出てくる。Ｘ線フィルムカセッテ７を取り出し、つめ１５を回転させると引っ掛かりがなくなり、カセッテ受け１６は、下に下がり、別のＸ線フィルムカセッテ７があれば、カセッテ受け１６に入り、またいつでも取り出し可能な状態となる。これにより、Ｘ線フィルムカセッテの取り出しを楽にすることができ、作業の効率化が望める。
【００２１】
本実施形態によれば、上記構成の移動形Ｘ線装置は、その使用状況により収納箱を連結・解除することで移動形Ｘ線装置本体を小さくできる。
また、収納箱の容量を拡大すると共に自由に持ち運びを可能とすることで、使い勝手の向上を確保する。そして、その連結・解除状態を検出器により検出しその信号により、電動走行する移動台車の走行スピードに制限を与えることで、安全に走行させることができる。
【００２２】
また、収納箱より、Ｘ線フィルムカセッテを側部から一枚ずつ出すことができ、取り出しを楽にすることができる。
また、移動形Ｘ線装置の病室内での操作性を良くすると共に、Ｘ線フィルムカセッテ等の収納枚数も増やせるため、一回の回診での効率化が図れる。
また、移動台車と収納箱とをそれぞれ単独で移動できるため、カセッテの保管場所や、フィルムの現像場所への搬送も容易にできる。
また、収納箱取り外し時のスピード制限により、より安全に移動することができる。
また、カセッテを一枚づつ上から取り出しができるため、Ｘ線撮影の効率化が図ることができる。
【００２３】
【発明の効果】
本発明は、狭い病室内やベッドサイドでの操作性を向上した移動形Ｘ線装置を提供するという効果を奏する。
【図面の簡単な説明】
【図１】本発明の移動形Ｘ線装置の構成例を示す側面図。
【図２】本発明の移動形Ｘ線装置の構成例を示す平面図。
【図３】移動台車と収納箱の連結・解除機構の構成例を示す図。
【図４】フィルムカセッテを取り出す機構の構成例を示す図。
【符号の説明】
１  移動台車
５  収納箱
６  検出器
７  フィルムカセッテ
８，１０  自在車輪
１１  レバー
１２  ワイヤ
１３  ピン
１７，１９  引張りバネ
１８  カセッテ押し
【図１】
0004408465.tif 000002
【図２】
0004408465.tif 000003
【図３】
0004408465.tif 000004
【図４】
0004408465.tif 000005